(57)【特許請求の範囲】
【請求項１】
（ａ）Ｒ（赤）、Ｇ（緑）、Ｂ（青）の三色についての階調値の組（ｒ，ｇ，ｂ）に基づいて表示デバイスにカラー表示をさせる工程と、
（ｂ）前記工程（ａ）で得られた前記カラー表示のＸＹＺ刺激値を測定する工程と
を備え、
前記工程（ａ），（ｂ）は前記階調値の組の値を（ｒm，ｇm，ｂm），（ｒ2，ｇm，ｂm），（ｒm，ｇ2，ｂm），（ｒm，ｇm，ｂ2），（ｒ3，ｇ3，ｂ3）として繰り返し実行され（但し、Ｒ（赤）の階調値の最小値をｒm、最大値をｒM、Ｇ（緑）の階調値の最小値をｇm、最大値をｇM、Ｂ（青）の階調値の最小値をｂm、最大値をｂMとし、ｒm＜ｒ3＜ｒ2≦ｒM，ｇm＜ｇ3＜ｇ2≦ｇM，ｂm＜ｂ3＜ｂ2≦ｂM）、
（ｃ）前記階調値の組（ｒm，ｇm，ｂm），（ｒ2，ｇm，ｂm），（ｒm，ｇ2，ｂm），（ｒm，ｇm，ｂ2）における前記ＸＹＺ刺激値から、前記階調値の組（ｒ3，ｇ3，ｂ3）における理論的なｘｙ色度値を求める工程と、
（ｄ）前記階調値の組（ｒ3，ｇ3，ｂ3）における前記ＸＹＺ刺激値から、前記階調値の組（ｒ3，ｇ3，ｂ3）におけるｘｙ色度値を求め、これを前記工程（ｃ）で得られた前記理論的なｘｙ色度値と比較する工程と
を更に備える、γ特性のズレを検出する方法。
【請求項２】
（ｅ）Ｒ（赤）、Ｇ（緑）、Ｂ（青）の三色についての階調値の組（ｒ，ｇ，ｂ）に基づいて表示デバイスにカラー表示をさせる工程と、
（ｆ）前記工程（ｅ）で得られた前記カラー表示の輝度を測定する工程と
を更に備え、
前記工程（ｅ），（ｆ）は前記階調値の組の値を（ｒ1，ｇ0，ｂ0），（ｒ2，ｇ0，ｂ0），（ｒ3，ｇ0，ｂ0）として繰り返し実行され（但し、ｒm≦ｒ1＜ｒ3，ｇm≦ｇ0≦ｇM，ｂm≦ｂ0≦ｂM）、
（ｇ）前記階調値の組（ｒ1，ｇ0，ｂ0），（ｒ2，ｇ0，ｂ0）における前記輝度から、前記階調値の組（ｒ3，ｇ0，ｂ0）における理論的な輝度を求める工程と、
（ｈ）前記階調値の組（ｒ3，ｂ0，ｇ0）について前記工程（ｆ）で得られた前記輝度と、前記工程（ｇ）で得られた前記理論的な輝度とを比較する工程と
を更に備える、請求項１に記載のγ特性のズレを検出する方法。
【請求項３】
ｒ1＝ｒmが成立する、請求項２に記載のγ特性のズレを検出する方法。
【請求項４】
（ｅ）Ｒ（赤）、Ｇ（緑）、Ｂ（青）の三色についての階調値の組（ｒ，ｇ，ｂ）に基づいて表示デバイスにカラー表示をさせる工程と、
（ｆ）前記工程（ｅ）で得られた前記カラー表示の輝度を測定する工程と
を更に備え、
前記工程（ｅ），（ｆ）は前記階調値の組の値を（ｒ0，ｇ1，ｂ0），（ｒ0，ｇ2，ｂ0），（ｒ0，ｇ3，ｂ0）として繰り返し実行され（但し、ｒm≦ｒ0≦ｒM，ｇm≦ｇ1＜ｇ3，ｂm≦ｂ0≦ｂM）、
（ｇ）前記階調値の組（ｒ0，ｇ1，ｂ0），（ｒ0，ｇ2，ｂ0）における前記輝度から、前記階調値の組（ｒ0，ｇ3，ｂ0）における理論的な輝度を求める工程と、
（ｈ）前記階調値の組（ｒ0，ｇ3，ｂ0）について前記工程（ｆ）で得られた前記輝度と、前記工程（ｇ）で得られた前記理論的な輝度とを比較する工程と
を更に備える、請求項１に記載のγ特性のズレを検出する方法。
【請求項５】
ｇ1＝ｇmが成立する、請求項４に記載のγ特性のズレを検出する方法。
【請求項６】
（ｅ）Ｒ（赤）、Ｇ（緑）、Ｂ（青）の三色についての階調値の組（ｒ，ｇ，ｂ）に基づいて表示デバイスにカラー表示をさせる工程と、
（ｆ）前記工程（ｅ）で得られた前記カラー表示の輝度を測定する工程と
を更に備え、
前記工程（ｅ），（ｆ）は前記階調値の組の値を（ｒ0，ｇ0，ｂ1），（ｒ0，ｇ0，ｂ2），（ｒ0，ｇ0，ｂ3）として繰り返し実行され（但し、ｒm≦ｒ0≦ｒM，ｇm≦ｇ0≦ｇM，ｂm≦ｂ1＜ｂ3）、
（ｇ）前記階調値の組（ｒ0，ｇ0，ｂ1），（ｒ0，ｇ0，ｂ2）における前記輝度から、前記階調値の組（ｒ0，ｇ0，ｂ3）における理論的な輝度を求める工程と、
（ｈ）前記階調値の組（ｒ0，ｇ0，ｂ3）について前記工程（ｆ）で得られた前記輝度と、前記工程（ｇ）で得られた前記理論的な輝度とを比較する工程と
を更に備える、請求項１に記載のγ特性のズレを検出する方法。
【請求項７】
ｂ1＝ｂmが成立する、請求項６に記載のγ特性のズレを検出する方法。
【請求項８】
（ｅ）Ｒ（赤）、Ｇ（緑）、Ｂ（青）の三色についての階調値の組（ｒ，ｇ，ｂ）に基づいて表示デバイスにカラー表示をさせる工程と、
（ｆ）前記工程（ｅ）で得られた前記カラー表示の輝度を測定する工程と
を更に備え、
前記工程（ｅ），（ｆ）は前記階調値の組の値を（ｒ1，ｇ1，ｂ1），（ｒ2，ｇ1，ｂ1），（ｒ3，ｇ1，ｂ1），（ｒ1，ｇ2，ｂ1），（ｒ1，ｇ3，ｂ1），（ｒ1，ｇ1，ｂ2），（ｒ1，ｇ1，ｂ3）として繰り返し実行され、
（ｇ）前記階調値の組（ｒ1，ｇ1，ｂ1），（ｒ2，ｇ1，ｂ1）における前記輝度から、前記階調値の組（ｒ3，ｇ1，ｂ1）における理論的な輝度を求める工程と、
（ｈ）前記階調値の組（ｒ3，ｇ1，ｂ1）について前記工程（ｆ）で得られた前記輝度と、前記工程（ｇ）で得られた前記理論的な輝度とを比較する工程と、
（ｉ）前記階調値の組（ｒ1，ｇ1，ｂ1），（ｒ1，ｇ2，ｂ1）における前記輝度から、前記階調値の組（ｒ1，ｇ3，ｂ1）における理論的な輝度を求める工程と、
（ｊ）前記階調値の組（ｒ1，ｇ3，ｂ1）について前記工程（ｆ）で得られた前記輝度と、前記工程（ｉ）で得られた前記理論的な輝度とを比較する工程と、
（ｋ）前記階調値の組（ｒ1，ｇ1，ｂ1），（ｒ1，ｇ1，ｂ2）における前記輝度から、前記階調値の組（ｒ1，ｇ1，ｂ3）における理論的な輝度を求める工程と、
（ｌ）前記階調値の組（ｒ1，ｇ1，ｂ3）について前記工程（ｆ）で得られた前記輝度と、前記工程（ｋ）で得られた前記理論的な輝度とを比較する工程と
を更に備える、請求項１に記載のγ特性のズレを検出する方法。
【請求項９】
ｒ1＝ｒm，ｇ1＝ｇm，ｂ1＝ｂmが成立する、請求項８に記載のγ特性のズレを検出する方法。
【請求項１０】
ｒ2＝ｒM，ｇ2＝ｇM，ｂ2＝ｂMが成立する、請求項１乃至請求項８のいずれか一つに記載のγ特性のズレを検出する方法。
【発明の詳細な説明】
【０００１】
【発明の属する技術分野】
本発明は画像表示デバイスの階調制御に関するものであり、特にγ特性を調整・管理する手法に関わるものである。
【０００２】
【従来の技術】
図２は、γ特性の調整に関する従来の技術の一例である特開２００１−３４２４２に紹介された技術を示すブロック図である。色相調整手段１は映像信号を入力して色信号の飽和度、色信号の復調角、復調ゲイン、ティントを制御する。表示素子２は調整後の信号を映像出力する。検出手段３は表示素子２の発光面において色度点を検出する。制御手段４は検出した色度点に応じて目標の色度点に近づけるように色相調整手段１に補正データを送出する。
【０００３】
ガンマ補正の手順は下記の如く実行される。検出手段３が表示素子２に表示されている画像の色度点及び輝度を検出する。制御手段４は検出された色度点から、他の任意の色度点へと近づけるために差分データを作成し、補正データとして色相調整手段１に送出する。ガンマ調整手段５は任意の色度点での輝度特性を補正する。
【０００４】
図３は輝度特性の補正を示すグラフである。図３において（ア）は調整する色の蛍光面でのガンマ特性を示している。そして図３（イ）で示されたＡ点及びＢ点のポイントをガンマ調整手段５が調整する。これにより、調整する色の発光特性が図３（ア）に近づけられる。ガンマ調整手段５が調整するポイントは、Ａ点及びＢ点のみならず、多くする方が、より図３（ア）に近づけることができる。
【０００５】
【発明が解決しようとする課題】
上記の従来技術に例示されるγ変換処理を行う場合、諸々の理由により、調整の目標とするγ特性に調整したはずの表示デバイスのγ特性が、評価時には調整の目標としたγ特性から外れる場合がある。
【０００６】
その理由の一つとして表示デバイスの経時変化が挙げられる。例えば液晶素子を用いた表示デバイスでは、液晶素子そのもののγ特性が通電時間により変化する場合がある。そしてγ調整を行った時点では目標とするγ特性と一致していても、評価時には調整時とは異なるγ特性を示してしまう場合がある。本発明では調整時に目標としたγ特性と、評価時におけるγ特性とのズレを短時間で検出する技術を提供する。
【０００７】
【課題を解決するための手段】
この発明のうち請求項１にかかるものは、γ特性のズレを検出する方法であって、（ａ）Ｒ（赤）、Ｇ（緑）、Ｂ（青）の三色についての階調値の組（ｒ，ｇ，ｂ）に基づいて表示デバイスにカラー表示をさせる工程と、（ｂ）前記工程（ａ）で得られた前記カラー表示のＸＹＺ刺激値を測定する工程とを備える。そして、前記工程（ａ），（ｂ）は前記階調値の組の値を（ｒm，ｇm，ｂm），（ｒ2，ｇm，ｂm），（ｒm，ｇ2，ｂm），（ｒm，ｇm，ｂ2），（ｒ3，ｇ3，ｂ3）として繰り返し実行される（但し、Ｒ（赤）の階調値の最小値をｒm、最大値をｒM、Ｇ（緑）の階調値の最小値をｇm、最大値をｇM、Ｂ（青）の階調値の最小値をｂm、最大値をｂMとし、ｒm＜ｒ3＜ｒ2≦ｒM，ｇm＜ｇ3＜ｇ2≦ｇM，ｂm＜ｂ3＜ｂ2≦ｂM）。更に、（ｃ）前記階調値の組（ｒm，ｇm，ｂm），（ｒ2，ｇm，ｂm），（ｒm，ｇ2，ｂm），（ｒm，ｇm，ｂ2）における前記ＸＹＺ刺激値から、前記階調値の組（ｒ3，ｇ3，ｂ3）における理論的なｘｙ色度値を求める工程と、（ｄ）前記階調値の組（ｒ3，ｇ3，ｂ3）における前記ＸＹＺ刺激値から、前記階調値の組（ｒ3，ｇ3，ｂ3）におけるｘｙ色度値を求め、これを前記工程（ｃ）で得られた前記理論的なｘｙ色度値と比較する工程とを備える。
【０００８】
この発明のうち請求項２にかかるものは、請求項１に記載のγ特性のズレを検出する方法であって、（ｅ）Ｒ（赤）、Ｇ（緑）、Ｂ（青）の三色についての階調値の組（ｒ，ｇ，ｂ）に基づいて表示デバイスにカラー表示をさせる工程と、（ｆ）前記工程（ｅ）で得られた前記カラー表示の輝度を測定する工程とを更に備える。そして、前記工程（ｅ），（ｆ）は前記階調値の組の値を（ｒ1，ｇ0，ｂ0），（ｒ2，ｇ0，ｂ0），（ｒ3，ｇ0，ｂ0）として繰り返し実行される（但し、ｒm≦ｒ1＜ｒ3，ｇm≦ｇ0≦ｇM，ｂm≦ｂ0≦ｂM）。更に、（ｇ）前記階調値の組（ｒ1，ｇ0，ｂ0），（ｒ2，ｇ0，ｂ0）における前記輝度から、前記階調値の組（ｒ3，ｇ0，ｂ0）における理論的な輝度を求める工程と、（ｈ）前記階調値の組（ｒ3，ｂ0，ｇ0）について前記工程（ｆ）で得られた前記輝度と、前記工程（ｇ）で得られた前記理論的な輝度とを比較する工程とを備える。
【０００９】
この発明のうち請求項３にかかるものは、請求項２に記載のγ特性のズレを検出する方法であって、ｒ1＝ｒmが成立する。
【００１０】
この発明のうち請求項４にかかるものは、請求項１に記載のγ特性のズレを検出する方法であって、（ｅ）Ｒ（赤）、Ｇ（緑）、Ｂ（青）の三色についての階調値の組（ｒ，ｇ，ｂ）に基づいて表示デバイスにカラー表示をさせる工程と、（ｆ）前記工程（ｅ）で得られた前記カラー表示の輝度を測定する工程とを更に備える。そして、前記工程（ｅ），（ｆ）は前記階調値の組の値を（ｒ0，ｇ1，ｂ0），（ｒ0，ｇ2，ｂ0），（ｒ0，ｇ3，ｂ0）として繰り返し実行される（但し、ｒm≦ｒ0≦ｒM，ｇm≦ｇ1＜ｇ3，ｂm≦ｂ0≦ｂM）。更に、（ｇ）前記階調値の組（ｒ0，ｇ1，ｂ0），（ｒ0，ｇ2，ｂ0）における前記輝度から、前記階調値の組（ｒ0，ｇ3，ｂ0）における理論的な輝度を求める工程と、（ｈ）前記階調値の組（ｒ0，ｇ3，ｂ0）について前記工程（ｆ）で得られた前記輝度と、前記工程（ｇ）で得られた前記理論的な輝度とを比較する工程とを備える。
【００１１】
この発明のうち請求項５にかかるものは、請求項４に記載のγ特性のズレを検出する方法であって、ｇ1＝ｇmが成立する。
【００１２】
この発明のうち請求項６にかかるものは、請求項１に記載のγ特性のズレを検出する方法であって、（ｅ）Ｒ（赤）、Ｇ（緑）、Ｂ（青）の三色についての階調値の組（ｒ，ｇ，ｂ）に基づいて表示デバイスにカラー表示をさせる工程と、（ｆ）前記工程（ｅ）で得られた前記カラー表示の輝度を測定する工程とを更に備える。そして、前記工程（ｅ），（ｆ）は前記階調値の組の値を（ｒ0，ｇ0，ｂ1），（ｒ0，ｇ0，ｂ2），（ｒ0，ｇ0，ｂ3）として繰り返し実行される（但し、ｒm≦ｒ0≦ｒM，ｇm≦ｇ0≦ｇM，ｂm≦ｂ1＜ｂ3）。更に、（ｇ）前記階調値の組（ｒ0，ｇ0，ｂ1），（ｒ0，ｇ0，ｂ2）における前記輝度から、前記階調値の組（ｒ0，ｇ0，ｂ3）における理論的な輝度を求める工程と、（ｈ）前記階調値の組（ｒ0，ｇ0，ｂ3）について前記工程（ｆ）で得られた前記輝度と、前記工程（ｇ）で得られた前記理論的な輝度とを比較する工程とを備える。
【００１３】
この発明のうち請求項７にかかるものは、請求項６に記載のγ特性のズレを検出する方法であって、ｂ1＝ｂmが成立する。
【００１４】
この発明のうち請求項８にかかるものは、請求項１に記載のγ特性のズレを検出する方法であって、（ｅ）Ｒ（赤）、Ｇ（緑）、Ｂ（青）の三色についての階調値の組（ｒ，ｇ，ｂ）に基づいて表示デバイスにカラー表示をさせる工程と、（ｆ）前記工程（ｅ）で得られた前記カラー表示の輝度を測定する工程とを更に備える。そして、前記工程（ｅ），（ｆ）は前記階調値の組の値を（ｒ1，ｇ1，ｂ1），（ｒ2，ｇ1，ｂ1），（ｒ3，ｇ1，ｂ1），（ｒ1，ｇ2，ｂ1），（ｒ1，ｇ3，ｂ1），（ｒ1，ｇ1，ｂ2），（ｒ1，ｇ1，ｂ3）として繰り返し実行される。更に、（ｇ）前記階調値の組（ｒ1，ｇ1，ｂ1），（ｒ2，ｇ1，ｂ1）における前記輝度から、前記階調値の組（ｒ3，ｇ1，ｂ1）における理論的な輝度を求める工程と、（ｈ）前記階調値の組（ｒ3，ｇ1，ｂ1）について前記工程（ｆ）で得られた前記輝度と、前記工程（ｇ）で得られた前記理論的な輝度とを比較する工程と、（ｉ）前記階調値の組（ｒ1，ｇ1，ｂ1），（ｒ1，ｇ2，ｂ1）における前記輝度から、前記階調値の組（ｒ1，ｇ3，ｂ1）における理論的な輝度を求める工程と、（ｊ）前記階調値の組（ｒ1，ｇ3，ｂ1）について前記工程（ｆ）で得られた前記輝度と、前記工程（ｉ）で得られた前記理論的な輝度とを比較する工程と、（ｋ）前記階調値の組（ｒ1，ｇ1，ｂ1），（ｒ1，ｇ1，ｂ2）における前記輝度から、前記階調値の組（ｒ1，ｇ1，ｂ3）における理論的な輝度を求める工程と、（ｌ）前記階調値の組（ｒ1，ｇ1，ｂ3）について前記工程（ｆ）で得られた前記輝度と、前記工程（ｋ）で得られた前記理論的な輝度とを比較する工程とを備える。
【００１５】
この発明のうち請求項９にかかるものは、請求項８に記載のγ特性のズレを検出する方法であって、ｒ1＝ｒm，ｇ1＝ｇm，ｂ1＝ｂmが成立する。
【００１６】
この発明のうち請求項１０にかかるものは、請求項１乃至請求項８のいずれか一つに記載のγ特性のズレを検出する方法であって、ｒ2＝ｒM，ｇ2＝ｇM，ｂ2＝ｂMが成立する。
【００１７】
【発明の実施の形態】
図１は、本発明を実施可能な構成を表すブロック図である。モニタ１１は、γ特性の異常検出の対象であり、例えば液晶素子を用いた表示デバイスである。信号源１３は、パーソナルコンピュータ（図中ではＰＣと表記）を典型とする制御・演算部１４から制御信号を受け、これに基づいて、所定の階調値を有する映像信号をモニタ１１へと送出する。輝度計２はモニタ１１に表示された画面から得られる輝度２１を測定する。輝度計２の測定は、制御・演算部１４から受ける制御信号に基づいて行われ、制御・演算部１４に対しては測定データを与える。制御・演算部１４は信号源１３を制御してモニタ１１に表示させるべき所定の階調値と、輝度計２から送られてくる測定データとに基づいて、γ特性の正常／異常の判定を行う。
【００１８】
なお、本実施の形態ではモニタ１１の映像信号入力インターフェースをアナログインターフェースと仮定し、信号源１３の出力もアナログＲＧＢ映像信号であるとして説明する。モニタ１１の入力インターフェースがディジタルインターフェースであり、信号源１３の出力がディジタルであっても、本発明を適用することができる。
【００１９】
さて、Grassmannの比例則とは、ある色光の強度を[Ｆ１]、[Ｆ２]、[Ｆ３]、[Ｆ４]とし、式（１）が成立している場合に式（２）が成立することをいう。
【００２０】
【数１】
0003749158.tif 000002
【００２１】
【数２】
0003749158.tif 000003
【００２２】
またGrassmannの加法則とは、式（１）が成立している場合に式（３）が成立することをいう。
【００２３】
【数３】
0003749158.tif 000004
【００２４】
本実施の形態では、Grassmannの比例則及び加法則がモニタ１１において成立しない場合と、成立する場合との二通りに分けて説明する。
【００２５】
実施の形態１（モニタ１１においてGrassmannの比例則及び加法則が成立しない場合）：
Ｒ（赤）、Ｇ（緑）、Ｂ（青）の階調値がそれぞれ値ｒ，ｇ，ｂを採る場合の輝度をＣ（ｒ，ｇ，ｂ）で表す。Ｒ（赤）、Ｇ（緑）、Ｂ（青）のそれぞれの色におけるγ特性の異常検出のうち、Ｒ（赤）を例に採って、γ特性の異常を検出する方法について説明する。
【００２６】
第１の工程として、まず制御・演算部１４から信号源１３に制御信号を与え、Ｒ（赤）、Ｇ（緑）、Ｂ（青）の階調値が後述する所定の値の組を採る映像信号を信号源１３に出力させる。モニタ１１は当該映像信号を受けて、これに対応したカラー表示を行う。
【００２７】
第２の工程として、制御・演算部１４は測色計１２に制御信号を与え、モニタ１１のカラー表示の輝度を測色計１２に測定させる。測色計１２は輝度を測定して得られた結果である測定データを制御・演算部１４に与える。
【００２８】
第１の工程及び第２の工程は、Ｇ（緑）、Ｂ（青）の階調値ｇ，ｂをそれぞれ値ｇ0，ｂ0に固定して、Ｒ（赤）の階調値ｒを変えて数種実行される。具体的には値ｒ1，ｒ2，ｒ3，ｂ0，ｇ0を用いて、階調値の組（ｒ，ｇ，ｂ）として（ｒ1，ｇ0，ｂ0），（ｒ2，ｇ0，ｂ0），（ｒ3，ｇ0，ｂ0）を採用し、第１及び第２の工程が繰り返して実行される。但し、階調値ｒの最小値をｒm、最大値をｒMとし、階調値ｂの最小値をｂm、最大値をｂMとし、階調値ｂの最小値をｂm、最大値をｂMとし、式（４）の関係がある。
【００２９】
【数４】
0003749158.tif 000005
【００３０】
第３の工程として、Ｒ（赤）、Ｇ（緑）、Ｂ（青）の階調値の組が（ｒ3，ｂ0，ｂ0）である場合の理論的な輝度Ｃ’（ｒ3，ｇ0，ｂ0）を、実測された輝度Ｃ（ｒ1，ｇ0，ｂ0），Ｃ（ｒ2，ｇ0，ｂ0）を用いて式（５）で求める。但しＲ（赤）のγ特性において、輝度Ｃの変化が階調値ｒの変化のα乗に比例する調整がなされていた場合（いわゆるγ値がαを採る場合）を想定している。
【００３１】
【数５】
0003749158.tif 000006
【００３２】
第４の工程として、実測された輝度Ｃ（ｒ3，ｇ0，ｂ0）と理論的な輝度Ｃ’（ｒ3，ｇ0，ｂ0）とを比較し、γ特性のズレを検出する。具体的には式（６）が成立する場合にはＲ（赤）のγ特性は正常であると判定する。ここでβ1は予め設定された許容差である。
【００３３】
【数６】
0003749158.tif 000007
【００３４】
Ｇ（緑）、Ｂ（青）についても同様に第１乃至第４の工程を行い、γ特性の異常を検出することができる。具体的には式（７）を満足する値ｒ0，ｇ1，ｇ2，ｇ3，ｂ1，ｂ2，ｂ3を更に導入する。そして階調値の組（ｒ，ｇ，ｂ）として（ｒ0，ｇ1，ｂ0），（ｒ0，ｇ2，ｂ0），（ｒ0，ｇ3，ｂ0）を採用してＧ（緑）のγ特性の異常を検出できる。そして階調値の組（ｒ，ｇ，ｂ）として（ｒ0，ｇ0，ｂ1），（ｒ0，ｇ0，ｂ2），（ｒ0，ｇ0，ｂ3）を採用してＢ（青）のγ特性の異常を検出できる。従って、Ｒ（赤）、Ｇ（緑）、Ｂ（青）について各々３種ずつ、合計９種の階調値の組についての輝度測定が行われる。
【００３５】
【数７】
0003749158.tif 000008
【００３６】
但し式（８）が成立すれば、階調値の組（ｒ1，ｇ1，ｂ1）をＲ（赤）、Ｇ（緑）、Ｂ（青）のいずれのγ特性の判定にも共用できるので、輝度測定は７種の階調値の組に対して行えば足りる。
【００３７】
【数８】
0003749158.tif 000009
【００３８】
実施の形態２（モニタ１１においてGrassmannの比例則及び加法則が成立する場合）：
実施の形態１の第１の工程と同様にして、Ｒ（赤）、Ｇ（緑）、Ｂ（青）のある階調値に対応した映像信号を信号源１３に出力させる。モニタ１１は当該映像信号を受けて、これに対応したカラー表示を行う。
【００３９】
第２の工程では、制御・演算部１４は測色計１２に制御信号を与え、モニタ１１のカラー表示のＸＹＺ刺激値を測色計１２に測定させる。測色計１２はＸＹＺ刺激値を測定して得られた結果である測定データを制御・演算部１４に与える。第１の工程及び第２の工程は、Ｒ（赤）、Ｇ（緑）、Ｂ（青）の階調値を変えて数種実行される。例えばＲ（赤）、Ｇ（緑）、Ｂ（青）の階調値の組（ｒ，ｇ，ｂ）として、（ｒm，ｇm，ｂm），（ｒ2，ｇm，ｂm），（ｒm，ｇ2，ｂm），（ｒm，ｇm，ｂ2），（ｒ3，ｇ3，ｂ3）の５個の組についてそれぞれ第１の工程及び第２の工程が実行される。
【００４０】
Ｒ（赤）のγ特性においては刺激値Ｘの変化が階調値ｒの変化のξ乗に比例する（いわゆるγ値がξを採る）調整がなされ、Ｇ（緑）のγ特性においては刺激値Ｙの変化が階調値ｇの変化のη乗に比例する（いわゆるγ値がηを採る）調整がなされ、Ｂ（青）のγ特性においては刺激値Ｚの変化が階調値ｂの変化のζ乗に比例する（いわゆるγ値がζを採る）調整がなされていた場合を想定する。階調値の組が（ｒ、ｇ、ｂ）である場合のＸＹＺ刺激値を、Ｘ（ｒ，ｇ，ｂ），Ｙ（ｒ，ｇ，ｂ），Ｚ（ｒ，ｇ，ｂ）で表す。
【００４１】
第３の工程では、階調値ｒ，ｇ，ｂがそれぞれ値ｒ3，ｇ3，ｂ3を採る場合のｘｙ色度値の理論値を求める。まずＲ（赤）、Ｇ（緑）、Ｂ（青）の階調値の組が（ｒ3，ｇm，ｂm）である場合の刺激値について、理論値Ｘ’（ｒ3，ｇm，ｂm）が実測値Ｘ（ｒm，ｇm，ｂm），Ｘ（ｒ2，ｇm，ｂm）を用いて式（９）で，理論値Ｙ’（ｒ3，ｇm，ｂm）が実測値Ｙ（ｒm，ｇm，ｂm），Ｙ（ｒ2，ｇm，ｂm）を用いて式（１０）で、理論値Ｚ’（ｒ3，ｇm，ｂm）が実測値Ｚ（ｒm，ｇm，ｂm），Ｚ（ｒ2，ｇm，ｂm）を用いて式（１１）で、それぞれ求められる。
【００４２】
【数９】
0003749158.tif 000010
【００４３】
【数１０】
0003749158.tif 000011
【００４４】
【数１１】
0003749158.tif 000012
【００４５】
次にＲ（赤）、Ｇ（緑）、Ｂ（青）の階調値の組が（ｒm，ｇ3，ｂm）である場合の刺激値について、理論値Ｘ’（ｒm，ｇ3，ｂm）が実測値Ｘ（ｒm，ｇm，ｂm），Ｘ（ｒm，ｇ2，ｂm）を用いて式（１２）で，理論値Ｙ’（ｒm，ｇ3，ｂm）が実測値Ｙ（ｒm，ｇm，ｂm），Ｙ（ｒm，ｇ2，ｂm）を用いて式（１３）で、理論値Ｚ’（ｒm，ｇ3，ｂm）が実測値Ｚ（ｒm，ｇm，ｂm），Ｚ（ｒm，ｇ2，ｂm）を用いて式（１４）で、それぞれ求められる。
【００４６】
【数１２】
0003749158.tif 000013
【００４７】
【数１３】
0003749158.tif 000014
【００４８】
【数１４】
0003749158.tif 000015
【００４９】
次にＲ（赤）、Ｇ（緑）、Ｂ（青）の階調値の組が（ｒm，ｇm，ｂ3）である場合の刺激値について、理論値Ｘ’（ｒm，ｇm，ｂ3）が実測値Ｘ（ｒm，ｇm，ｂm），Ｘ（ｒm，ｇm，ｂ2）を用いて式（１５）で，理論値Ｙ’（ｒm，ｇm，ｂ3）が実測値Ｙ（ｒm，ｇm，ｂm），Ｙ（ｒm，ｇm，ｂ2）を用いて式（１６）で、理論値Ｚ’（ｒm，ｇm，ｂ3）が実測値Ｚ（ｒm，ｇm，ｂm），Ｚ（ｒm，ｇm，ｂ2）を用いて式（１７）で、それぞれ求められる。
【００５０】
【数１５】
0003749158.tif 000016
【００５１】
【数１６】
0003749158.tif 000017
【００５２】
【数１７】
0003749158.tif 000018
【００５３】
Grassmannの加法則に基づき、Ｒ（赤）、Ｇ（緑）、Ｂ（青）の階調値の組が（ｒ3，ｇ3，ｂ3）である場合の刺激値について、理論値Ｘ’（ｒ3，ｇ3，ｂ3）は理論値Ｘ’（ｒ3，ｇm，ｂm），Ｘ’（ｒm，ｇ3，ｂm），Ｘ’（ｒm，ｇm，ｂ3）を用いて式（１８）で、理論値Ｙ’（ｒ3，ｇ3，ｂ3）は理論値Ｙ’（ｒ3，ｇm，ｂm），Ｙ’（ｒm，ｇ3，ｂm），Ｙ’（ｒm，ｇm，ｂ3）を用いて式（１９）で、理論値Ｚ’（ｒ3，ｇ3，ｂ3）は理論値Ｚ’（ｒ3，ｇm，ｂm），Ｚ’（ｒm，ｇ3，ｂm），Ｚ’（ｒm，ｇm，ｂ3）を用いて式（２０）で、それぞれ求められる。
【００５４】
【数１８】
0003749158.tif 000019
【００５５】
【数１９】
0003749158.tif 000020
【００５６】
【数２０】
0003749158.tif 000021
【００５７】
と求められる。
【００５８】
更に、Ｒ（赤）、Ｇ（緑）、Ｂ（青）の階調値の組が（ｒ3，ｇ3，ｂ3）である場合のｘｙ色度値の理論値ｘ’（ｒ3，ｇ3，ｂ3），ｙ’（ｒ3，ｇ3，ｂ3）は、それぞれ式（２１），（２２）で求められる。
【００５９】
【数２１】
0003749158.tif 000022
【００６０】
【数２２】
0003749158.tif 000023
【００６１】
一方、Ｒ（赤）、Ｇ（緑）、Ｂ（青）の階調値の組が（ｒ3，ｇ3，ｂ3）である場合の三刺激値の実測値Ｘ（ｒ3，ｇ3，ｂ3），Ｙ（ｒ3，ｇ3，ｂ3），Ｚ（ｒ3，ｇ3，ｂ3）が得られているので、実測に基づいた色度値ｘ（ｒ3，ｇ3，ｂ3），ｙ（ｒ3，ｇ3，ｂ3）が、それぞれ式（２３），（２４）で求められる。
【００６２】
【数２３】
0003749158.tif 000024
【００６３】
【数２４】
0003749158.tif 000025
【００６４】
そして第４の工程で、理論値ｘ’（ｒ3，ｇ3，ｂ3），ｙ’（ｒ3，ｇ3，ｂ3）をそれぞれ実測に基づいた色度値ｘ’（ｒ3，ｇ3，ｂ3），ｙ’（ｒ3，ｇ3，ｂ3）と比較して、γ特性のズレを検出することができる。具体的には例えば式（２５）が成立する場合にはγ特性は正常であると判定する。ここでβ2は予め設定された許容差である。
【００６５】
【数２５】
0003749158.tif 000026
【００６６】
以上のようにして、Grassmannの比例・加法則が成立する場合には実施の形態２で説明した手法を用いて、合計５種だけの階調値の組についての刺激値を測定すればγ特性のズレの検出や異常の判定を行うことができる。各色個別のγ特性の異常を判定するには適当ではないが、簡易にγ特性の異常の判定を行うことができる。
【００６７】
なお、γ特性の判定の精度を上げるためには、値ｒ1，ｒ2，ｒ3の相互の差を大きくすることが望ましい。従って、値ｒ1としては階調値の最小値ｒmを、値ｒ2としては階調値の最大値ｒMを、値ｒ3としては値ｒm，ｒMの和の半分程度の値を、それぞれ採ることが望ましい。値ｇ1，ｇ2，ｇ3，ｂ1，ｂ2，ｂ3についても同様である。モニタ内での信号処理をＲ（赤）、Ｇ（緑）、Ｂ（青）の三色について、それぞれ８ビットのディジタル信号である場合を例にとれば、例えば値ｒ0，ｒ1，ｇ0，ｇ1，ｂ0，ｂ1は値０を、値ｒ2，ｇ2，ｂ2は値２５５を、値ｒ3，ｇ3，ｂ3は値１２８を、それぞれ採用することができる。
【００６８】
また判定に用いる階調値の数を増やせば異常検出の精度を向上させることができる。
【００６９】
また、意図的にγ特性の変換処理を行っていない場合にも、表示デバイスそのもののγ特性のバラツキや異常の検出が可能であることはいうまでもない。
【００７０】
【発明の効果】
この発明のうち請求項１にかかるγ特性のズレを検出する方法によれば、Grassmannの加法・比例則が成立する場合にγ特性のズレを簡易に検出することができる。
【００７１】
この発明のうち請求項２にかかるγ特性のズレを検出する方法によれば、Grassmannの加法・比例則が成立しない場合でも、Ｒ（赤）のγ特性のズレを簡易に検出することができる。
【００７２】
この発明のうち請求項３にかかるγ特性のズレを検出する方法によれば、γ特性のズレを精度良く検出することができる。
【００７３】
この発明のうち請求項４にかかるγ特性のズレを検出する方法によれば、Grassmannの加法・比例則が成立しない場合でも、Ｇ（緑）のγ特性のズレを簡易に検出することができる。
【００７４】
この発明のうち請求項５にかかるγ特性のズレを検出する方法によれば、γ特性のズレを精度良く検出することができる。
【００７５】
この発明のうち請求項６にかかるγ特性のズレを検出する方法によれば、Grassmannの加法・比例則が成立しない場合でも、Ｂ（青）のγ特性のズレを簡易に検出することができる。
【００７６】
この発明のうち請求項７にかかるγ特性のズレを検出する方法によれば、γ特性のズレを精度良く検出することができる。
【００７７】
この発明のうち請求項８にかかるγ特性のズレを検出する方法によれば、Grassmannの加法・比例則が成立しない場合でも、Ｒ（赤）、Ｇ（緑）、Ｂ（青）の三色についてのγ特性のズレを簡易に、かつ測定する階調値の組の数を少なくして検出することができる。
【００７８】
この発明のうち請求項９にかかるγ特性のズレを検出する方法によれば、γ特性のズレを精度良く検出することができる。
【００７９】
この発明のうち請求項１０にかかるγ特性のズレを検出する方法によれば、γ特性のズレを精度良く検出することができる。
【図面の簡単な説明】
【図１】  本発明を実施可能な構成を表すブロック図である。
【図２】  従来の技術を示すブロック図である。
【図３】  従来の技術を示すグラフである。
【符号の説明】
１１  モニタ、１２  測色計、１３  信号源、１４  制御・演算部。
【図１】
0003749158.tif 000027
【図２】
0003749158.tif 000028
【図３】
0003749158.tif 000029